(57)【要約】この発明は、E1/T1ライン(専用ライン）とIPラインを連動する整合装置を利用して、基地局と制御局を接続することによりネットワークコストを低減する低費用ネットワークシステムに関するものである。この発明の低費用ネットワークシステムにおいて基地局は、複数の移動端末機の中から選択された移動端末機と通信を行なう。制御局は、前記基地局と移動端末機との無線通信を制御する。制御局整合装置は、前記制御局と第１専用ラインを介して接続され、制御局から伝送される専用ラインデータ信号を、IPラインを介して伝送されるIP信号に変換し、IPラインを介して伝送されたIP信号を、制御局に伝送される専用ラインデータ信号に変換する。基地局整合装置は、前記基地局と専用ラインを介して接続され、前記制御局整合装置から伝送されるIP信号を、基地局に伝送される専用ラインデータ信号に変換し、基地局から伝送された専用ラインデータ信号を、前記制御局整合装置に伝送されるIP信号に変換する。
2005522159.tif 000002
【特許請求の範囲】
【請求項１】
移動通信システムの制御局と基地局を接続するネットワークシステムにおいて、
複数の移動端末機の中から選択された移動端末機との通信のための基地局と、
前記基地局と移動端末機との無線通信を制御する制御局と、
前記制御局と第１専用ラインを介して接続され、前記制御局にから伝送される専用ラインデータ信号を、IPラインを介して伝送されるIP信号に変換し、IPラインを介して伝送されるIP信号を、制御局に伝送される専用ラインデータ信号に変換する制御局整合装置と、
前記基地局と第２専用ラインを介して接続され、前記制御局整合装置から伝送されるIP信号を、基地局に伝送される専用ラインデータ信号に変換し、基地局から伝送される専用ラインデータ信号を、前記制御局整合装置に伝送されるIP信号に変換する基地局整合装置と
を含むことを特徴とするネットワークシステム。
【請求項２】
前記専用ラインは、
E1ライン及びT1ラインから選択されることを特徴とする請求項１に記載のネットワークシステム。
【請求項３】
前記IPラインは、
ADSL、SDSL、及びVDSLから選択されることを特徴とする請求項１に記載のネットワークシステム。
【請求項４】
前記制御局整合装置は、
前記制御局と専用ラインデータ信号を交換するための送受信部と、
前記制御局から伝送される専用ラインデータ信号をIP信号に変換し、基地局整合装置から伝送されるIP信号を専用ラインデータ信号に変換するための変換部と、
前記基地局整合装置とIP信号を交換するためのIPインターフェースと、
前記送受信部、変換部及びIPインターフェースを制御するための制御部と
を含むことを特徴とする請求項１に記載のネットワークシステム。
【請求項５】
前記ネットワークシステムは、
前記制御局に伝送される専用ラインデータ信号を格納するバッファをさらに含むことを特徴とする請求項４に記載のネットワークシステム。
【請求項６】
前記ネットワークシステムは、
前記基地局整合装置に伝送されるバッファの現在状態及び最大格納容量に対するバッファ状態情報を生成するためのバッファ状態監視部をさらに含むことを特徴とする請求項４に記載のネットワークシステム。
【請求項７】
前記ネットワークシステムは、
前記制御局整合装置を前記基地局整合装置と接続するIPラインのIPアドレスを維持するためのIPアドレス制御部をさらに含むことを特徴とする請求項４に記載のネットワークシステム。
【請求項８】
前記ネットワークシステムは、
前記制御局整合装置の動作状態を監視し、障害をチェックするための現状監視部をさらに含むことを特徴とする請求項４に記載のネットワークシステム。
【請求項９】
前記ネットワークシステムは、
基地局整合装置のバッファ状態情報に応じて、基地局整合装置に伝送されるIP信号のサイズを制御する伝送制御部をさらに含むことを特徴とする請求項４に記載のネットワークシステム。
【請求項１０】
前記基地局整合装置は、
前記基地局と専用ラインデータ信号を交換するための送受信部と、
前記基地局から伝送される専用ラインデータ信号をIP信号に変換し、前記制御局整合装置から伝送されるIP信号を専用ラインデータ信号に変換するための変換部と、
前記制御局整合装置とIP信号を交換するためのIPインターフェースと、
前記送受信部、変換部及びIPインターフェースを制御するための制御部と
を含むことを特徴とする請求項１に記載のネットワークシステム。
【請求項１１】
前記ネットワークシステムは、
前記制御局整合装置から伝送されるIP信号を格納するバッファをさらに含むことを特徴とする請求項１０に記載のネットワークシステム。
【請求項１２】
前記ネットワークシステムは、
バッファの現在状態及び最大格納容量に対するバッファ状態情報を生成するためのバッファ状態監視部をさらに含むことを特徴とする請求項１０に記載のネットワークシステム。
【請求項１３】
前記ネットワークシステムは、
前記基地局整合装置を制御局整合装置と接続するIPラインのIPアドレスを維持するためのIPアドレス制御部をさらに含むことを特徴とする請求項１０に記載のネットワークシステム。
【請求項１４】
前記ネットワークシステムは、
前記基地局整合装置の動作状態を監視し、障害をチェックするための現状監視部をさらに含むことを特徴とする請求項１０に記載のネットワークシステム。
【請求項１５】
前記ネットワークシステムは、
前記制御局整合装置のバッファ状態情報に応じて、前記制御局整合装置に伝送されるIP信号のサイズを制御する伝送制御部をさらに含むことを特徴とする請求項１０に記載のネットワークシステム。
【請求項１６】
複数の移動端末機の中から選択された移動端末機との通信のための基地局と、基地局と専用ラインを介して接続され、IP信号を基地局に伝送される専用ラインデータ信号に変換し、基地局から伝送される専用ラインデータ信号をIP信号に変換する基地局整合装置と、基地局と移動端末機の間の無線通信を制御するための制御局とを含む移動通信システムの制御局整合装置において、
制御局と専用ラインデータ信号を交換するための送受信部と、
前記制御局から伝送される専用ラインデータ信号をIP信号に変換し、基地局整合装置から伝送されるIP信号を専用ラインデータ信号に変換するための変換部と、
前記基地局整合装置とIP信号を交換するためのIPインターフェースと、
前記送受信部、変換部及びIPインターフェースを制御するための制御部と
を含むことを特徴とする制御局整合装置。
【請求項１７】
複数の移動端末機の中から選択された移動端末機との通信のための基地局と、基地局を制御するための制御局と、制御局と専用ラインを介して接続され、専用ラインを介して伝送される専用ラインデータ信号をIP信号に変換し、IP信号を制御局に伝送される専用ラインデータ信号に変換する制御局整合装置とを含む移動通信システムの基地局整合装置において、
前記基地局と専用ラインデータ信号を交換するための送受信部と、
前記基地局から伝送される専用ラインデータ信号をIP信号に変換し、制御局整合装置から伝送されるIP信号を専用ラインデータ信号に変換するための変換部と、
前記制御局整合装置とIP信号を交換するためのIPインターフェースと、
前記送受信部、変換部及びIPインターフェースを制御するための制御部と
を含むことを特徴とする基地局整合装置。
【請求項１８】
複数の移動端末機の中から選択された移動端末機との通信のための基地局と、基地局と専用ラインを介して接続され、IP信号を基地局に伝送される専用ラインデータ信号に変換し、基地局から伝送される専用ラインデータ信号をIP信号に変換する基地局整合装置と、基地局を制御するための制御局とを含む移動通信ネットワークの制御局整合装置のデータ伝送方法において、
専用ラインを介して制御局から専用ラインデータ信号を受信する段階と、
前記専用ラインデータ信号をIP信号に変換する段階と、
基地局整合装置のバッファの現在状態及び最大格納容量に対するバッファ状態情報を受信する段階と、
バッファ状態情報に応じて、基地局整合装置に伝送するIP信号のサイズを制御する段階と、
IPラインを介して前記IP信号を基地局整合装置に伝送する段階と
を備え、
前記IP信号は、基地局整合装置で専用ラインデータ信号に変換され、基地局を通して移動端末機に伝送されることを特徴とする制御局整合装置のデータ伝送方法。
【請求項１９】
複数の移動端末機の中から選択された移動端末機との通信のための基地局と、制御局と専用ラインを介して接続され、IP信号を基地局に伝送される専用ラインデータ信号に変換して、基地局から伝送される専用ラインデータ信号をIP信号に変換する制御局整合装置と、基地局を制御するための制御局とを含む移動通信ネットワークの基地局整合装置のデータ伝送方法において、
専用ラインを介して基地局から専用ラインデータ信号を受信する段階と、
前記専用ラインデータ信号をIP信号に変換する段階と、
制御局整合装置のバッファの現在状態及び最大格納容量に対するバッファ状態情報を受信する段階と、
前記バッファ状態情報に応じて、制御局整合装置に伝送するIP信号のサイズを制御する段階と、
IPラインを介して、前記IP信号を制御局整合装置に伝送する段階と
を備え、
前記IP信号は、制御局整合装置で専用ラインデータ信号に変換され、制御局に伝送されることを特徴とする基地局整合装置のデータ伝送方法。
【発明の詳細な説明】
【技術分野】
【０００１】
この発明は、E1/T1ラインとIPラインを整合させる整合装置を利用して、基地局と制御局を接続することによって、ネットワーク費用を低減できる低費用ネットワークシステムに関する。
【背景技術】
【０００２】
科学技術の発展により、電気通信ネットワークは、電話網（PSTN）のような、固定位置で通信を行う有線ネットワークから、移動中にも通信が可能な移動通信ネットワークへと発展している。一般に、移動通信システムは、人や車両、船舶、列車及び航空機のように移動中の物体を対象とする通信システムである。
【０００３】
図1は、一般的な移動通信システムの構成図を示すものである。
図1を参照すると、移動通信システムで使用者は、移動端末機(Mobile Station)40を使用して別の使用者と通信を行なうことができる。基地局(Base Transceiver Station)30は、移動端末機40から呼出処理要求信号を受信し、呼出伝送要求信号を制御局(Base Station Controller)20から移動端末機40に伝送する。制御局20は、基地局30と交換局(Mobile Switching Center)10との間の信号伝送のために基地局30を制御する。交換局10は、呼出処理要求信号を他の通信網に伝送することによって、移動通信サービスを利用者に提供する。この時、他の通信網はPSTN(Public Switching Telephone Networks)、またはAMPS(Advanced Mobile Phone Service)などがなり得る。
【０００４】
使用者が移動端末機40を利用して移動通信サービスを利用しようとする場合に、交換局10では、制御局20からの制御信号により移動端末機40の位置を把握し、移動端末機40からの要請に応じて音声信号の伝送、またはファックス伝送などのサービスを行なったり、他の通信網にアクセスして移動通信サービスを行なったりする。
【０００５】
この場合、制御局20と基地局30は、通常E1またはT1専用ラインで接続されており、制御局20及び基地局30には、E1/T1接続装置が具備されている。E1は、ヨーロッパ伝送速度標準1(European Transmission Service 1)であって、使用者情報伝送のための30個のBチャンネルと信号情報伝送のための1個のDチャンネルで構成される。それに対し、T1は米国T1委員会の標準サービスであって、23個のBチャンネルと1個のDチャンネルから構成される。Bチャンネルは、64Kbpsのデータ伝送速度を有し、Dチャンネルは、16Kbpsのデータ伝送速度を有し、E1伝送方式は、2.048Mbpsの通信帯域を有し、T1伝送方式は、1.544Mbpsの通信帯域を有する。制御局20と基地局30との間でE1またはT1専用ラインを介してデータを伝送する場合には、固定比率HDLC(fixed rate non-channelized High-level Data Link Control)方式を使用する。これはチャンネルの区分なしに固定割合でデータを伝送する方式である。
【０００６】
三星（Samsung Corporation)1xEV-DO(1x EVolution Data-Only)システムを使用する場合を例に挙げると、E1専用ラインを通してデータパケットを伝送する場合、一つのデータパケット(Packet）は、135バイトから構成され、SAR(Segmentation And Reassembly)によって3個のATM(Asynchronous Transfer Mode)セル(Cell）に分割されて伝送される。ここで、一つのATMセルは、5バイトのATMセルヘッダ(Header)と3バイトのSARヘッダ、そして45バイトのペイロード(Payload)を含んで53バイトからなる。
【０００７】
このように、制御局20と基地局30との間には高速のデータ伝送のために、E1またはT1専用ラインを使用しているが、E1またはT1のデータ伝送能力に比べてE1またはT1の使用コストが高い問題点がある。すなわち、実際には、最大の帯域幅(2.048Mbpsまたは1.544Mbps）でデータ伝送がなされる場合は稀であり、最大の帯域幅以下でデータが伝送される場合が多い。したがって、制御局20と基地局30との間にE1またはT1伝送ラインを使用する場合に、移動通信事業者の立場では支出するネットワーク費用が莫大であるという問題点がある。
【０００８】
これを解決する方法として、a)データ伝送比率によってフレームの長さを可変させることによって、データ伝送効率を向上させる方法、及びb)基地局と制御局との間に光伝送ラインを架設し、これを利用してデータを伝送する方法などが提示された。
【発明の開示】
【発明が解決しようとする課題】
【０００９】
しかし、データ伝送比率に応じてフレームの長さを可変させるとしてもデータ伝送効率と比較して費用が相対的に高い問題点がある。また、光伝送ラインについては、光伝送ラインを架設するコストと光伝送ラインを使用するコストが莫大であるため、ネットワークコストを低減し難いという問題点がある。
【００１０】
この発明は、前記のような問題点を解決するためのものであって、基地局と制御局との間にE1/T1専用ラインと低価格のIP(Internet Protocol)ラインで通信ネットワークを構築することによって、使用コストを低減できる低費用ネットワークシステムを提供することにその目的がある。
【００１１】
また、この発明は、E1/T1専用ラインとIPラインを整合させることのできる整合装置を設置し、E1/T1信号とIPパケットを相互変換することによって、低コストでデータ伝送効率を向上させることができるデータ伝送方法を提供することにその目的がある。
【００１２】
即ち、この発明では、E1/T1専用ラインと整合されるIPラインは、電話網のように低コストであり、ネットワークの維持コストを低減することができる。  この発明では、E1/T1信号をIP信号に変換するために、データ伝送方向応じてデータバッファリング機能を使用することが好ましい。
【課題を解決するための手段】
【００１３】
前記の目的を達成するため、この発明の移動通信システムの基地局と制御局を接続するネットワークシステムは、複数の移動端末機の中から選択された移動端末機との無線通信のための基地局と、前記基地局と移動端末機との通信を制御する制御局と、前記制御局と第１専用ラインを介して接続され、制御局から伝送される専用ラインデータ信号を、IPラインを介して伝送されるIP信号に変換し、IPラインを介して伝送されるIP信号を、制御局に伝送される専用ラインデータ信号に変換する制御局整合装置と、前記基地局と第２専用ラインを介して接続され、前記制御局整合装置から伝送されるIP信号を、基地局に伝送される専用ラインデータ信号に変換し、基地局から伝送される専用ラインデータ信号を、前記制御局整合装置に伝送されるIP信号に変換する基地局整合装置を含むことができる。
【００１４】
前記専用ラインは、E1ライン及びT1ラインから選択されたものである。
前記IPラインは、ADSL、SDSL及びVDSLから選択されたものである。
前記制御局整合装置は、前記制御局と専用ラインデータ信号を交換するための送受信部と、前記制御局から伝送された専用ラインデータ信号をIP信号に変換し、基地局整合装置から伝送されたIP信号を専用ラインデータ信号に変換するための変換部と、前記基地局整合装置とIP信号を交換するためのIPインターフェースと、前記送受信部、変換部及びIPインターフェースを制御するための制御部を含む。
【００１５】
前記制御局整合装置は、前記制御局から伝送される専用ラインデータ信号を格納するバッファをさらに含む。
前記制御局整合装置は、バッファの現在状態及び最大格納容量に対するバッファ状態情報を生成するためのバッファ状態監視部をさらに含む。
【００１６】
前記制御局整合装置は、制御局整合装置を基地局整合装置と接続するIPラインのIPアドレスを維持するためのIPアドレス制御部をさらに含む。
前記制御局整合装置は、制御局整合装置の動作状態を監視して、障害をチェックするための現状監視部をさらに含む。
【００１７】
前記制御局整合装置は、基地局整合装置のバッファ状態情報に応じて、基地局整合装置に伝送されるIP信号のサイズを制御する伝送制御部をさらに含む。
前記基地局整合装置は、前記基地局と専用ラインデータ信号を交換するための送受信部と、前記基地局から伝送された専用ラインデータ信号をIP信号に変換して、制御局整合装置から伝送されたIP信号を専用ラインデータ信号に変換するための変換部と、前記制御局整合装置とIP信号を交換するためのIPインターフェースと、前記送受信部、変換部及びIPインターフェースを制御するための制御部を含む。
【００１８】
前記基地局整合装置は、前記制御局整合装置から伝送されたIP信号を格納するバッファをさらに含む。
前記基地局整合装置は、バッファの現在状態及び最大格納容量に対するバッファ状態情報を生成するためのバッファ状態監視部をさらに含む。
【００１９】
前記基地局整合装置は、基地局整合装置を制御局整合装置と接続するIPラインのIPアドレスを維持するためのIPアドレス制御部をさらに含む。
前記基地局整合装置は、基地局整合装置の動作状態を監視して、障害をチェックするための現状監視部をさらに含む。
【００２０】
前記基地局整合装置は、制御局整合装置のバッファ状態情報に応じて、制御局整合装置に伝送されるIP信号のサイズを制御する伝送制御部をさらに含む。
また、この発明では、複数の移動端末機の中から選択された移動端末機との通信のための基地局と、制御局と専用ラインを介して接続され、IP信号を基地局に伝送される専用ラインデータ信号に変換し、基地局から伝送される専用ラインデータ信号をIP信号に変換する基地局整合装置と、と、基地局を制御するための制御局とを含む移動通信システムの制御局整合装置が提供され、前記制御局整合装置は、制御局と専用ラインデータ信号を交換するための送受信部と、前記制御局から伝送された専用ラインデータ信号をIP信号に変換し、基地局整合装置から伝送されたIP信号を専用ラインデータ信号に変換するための変換部と、前記基地局整合装置とIP信号を交換するためのIPインターフェースと、前記送受信部、変換部及びIPインターフェースを制御するための制御部とを含む。
【００２１】
この発明では、複数の移動端末機の中から選択された移動端末機との通信のための基地局と、基地局を制御するための制御局と、制御局と専用ラインを介して接続され、専用ラインを介して伝送される専用ラインデータ信号をIP信号に変換し、IP信号を制御局に伝送される専用ラインデータ信号に変換する制御局整合装置とを含む移動通信システムの基地局整合装置が提供され、前記基地局整合装置は、前記基地局と専用ラインデータ信号を交換するための送受信部と、前記基地局から伝送される専用ラインデータ信号をIP信号に変換して、制御局整合装置から伝送されるIP信号を専用データ信号に変換するための変換部と、前記制御局整合装置とIP信号を交換するためのIPインターフェースと、前記送受信部、変換部及びIPインターフェースを制御するための制御部を含む。
【００２２】
また、この発明では、複数の移動端末機の中から選択された移動端末機との通信のための基地局と、基地局と専用ラインを介して接続され、IP信号を基地局に伝送される専用ラインデータ信号に変換し、基地局から伝送される専用ラインデータ信号をIP信号に変換する基地局整合装置と、基地局を制御するための制御局とを含む移動通信ネットワークの制御局整合装置のデータ伝送方法において、専用ラインを介して制御局から専用ラインデータ信号を受信する段階と、前記専用ラインデータ信号をIP信号に変換する段階と、基地局整合装置のバッファの現在状態及び最大格納容量に対するバッファ状態情報を受信する段階と、バッファ状態情報に応じて、基地局整合装置に伝送するIP信号のサイズを制御する段階と、IPラインを介して前記IP信号を基地局整合装置に伝送する段階とを備え、前記IP信号は、基地局整合装置で専用ラインデータ信号に変換され、基地局を通して移動端末機に伝送される。
【００２３】
また、この発明では、複数の移動端末機の中から選択された移動端末機との通信のための基地局と、制御局と専用ラインを介して接続され、IP信号を基地局に伝送される専用ラインデータ信号に変換して、基地局から伝送される専用ラインデータ信号をIP信号に変換する制御局整合装置と、基地局を制御するための制御局とを含む移動通信ネットワークの基地局整合装置のデータ伝送方法において、専用ラインを介して基地局から専用ラインデータ信号を受信する段階と、前記専用ラインデータ信号をIP信号に変換する段階と、制御局整合装置のバッファの現在状態及び最大格納容量に対するバッファ状態情報を受信する段階と、前記バッファ状態情報に応じて、制御局整合装置に伝送するIP信号のサイズを制御する段階と、IPラインを介して、前記IP信号を制御局整合装置に伝送する段階とを備え、前記IP信号は、制御局整合装置で専用ラインデータ信号に変換され、制御局に伝送される。
【発明を実施するための最良の形態】
【００２４】
以下、添付する図面を参照しながら本発明の好ましい実施形態を詳細に説明する。
図2は、この発明の好ましい実施形態に係る低費用ネットワークシステムの全体構成図を示すものである。
【００２５】
図2を参照すると、この発明の低費用ネットワークシステムは、制御局20にE1/T1信号をIPパケットに変換するためのE1整合装置100を設置し、基地局30にはIPパケットをE1/T1信号に変換するためのIP整合装置200を設置することによって、IPネットワーク150を介してIPパケットを伝送するように構成する。すなわち、制御局20から基地局30へデータ信号を伝送する場合に、制御局20に設置されたE1整合装置100でE1/T1信号をIPパケットに変換し、そのIPパケットをIPネットワーク150を介して基地局30に伝送する。基地局30に設置されたIP整合装置200は、IPネットワーク150を介して伝送されたIPパケットをE1/T1信号に変換して基地局30に提供する。
【００２６】
この場合、E1専用ラインの帯域幅は、2.048Mbpsに該当し、T1専用ラインの帯域幅は、1.544 Mbpsに該当する。したがって、E1/T1データをIPパケットに変換する場合に、IPネットワーク150は2Mbps以上の帯域幅を有していなければならない。
【００２７】
インターネットで使用するIPプロトコルは、TCP/IP(Transmission Control Protocol/Internet Protocol)という階層構造を有しており、ネットワークに従属的な(Dependent)部分と独立的な(Independent)部分が結合されたOSI 7(Open System Interface 7)階層構造に含まれる。
【００２８】
図3は、この発明の好ましい実施形態に係るIPパケットの構造図を示すものである。
図3を参照すると、IPパケットでバージョン(Version）は、IPプロトコルのバージョンを表す部分であり、ヘッダ長さは、ヘッダの長さを表す。サービスタイプ(Type Of Service:TOS）は、IPパケットで必要とされる優先順位、遅延、処理率及び安全度などを表す。全体長さ(Total Length）は、ヘッダとデータを含んだIPパケットの全体長さであって、最大65,536バイトまでの長さを有することができる。一つのメッセージをIPネットワーク上で複数のIPパケットに分割することができるが、分割されたパケットを組合せて、そのメッセージにするためにIDが使用される。フラグメントオフセット(Fragment Offset）は、同じメッセージに属するIPパケットが複数ある場合に、そのIPパケットがメッセージの始めからどれだけ離れているかを表す。生存時間は、IPパケットがIPネットワーク上で存在できる最大時間を表す。プロトコル(Protocol）は、IPパケットが属する上位のプロトコルを示す部分であり、ヘッダチェックサム(Header Checksum）は、ヘッダのエラーを調べるための部分である。送信側アドレス(Source Address)と受信側アドレス(Destination Address）は、送信側のIPアドレスと受信側のIPアドレスを表す。オプション(Option）は、セキュリティ、ルーティング(Routing)及びデータの種類などを表すことができ、パディング(Padding）は、32ビットのヘッダを構成するために、必要に応じて使用できる。
【００２９】
この発明は、ネットワークにかかる費用を低減するためのものであるので、制御局20と基地局30との間に形成される伝送ラインはE1/T1帯域幅を満足させながら、E1/T1よりも維持費用が低廉なIPラインからなるIPネットワーク150を構成するべきである。このような条件を満足するIPラインは、電話線のアナログ帯域幅を拡大してデジタル伝送速度を向上させたDSL(Digital Subscriber Line）である。今日まで、有効伝送距離と応用分野に応じた多様な伝送方式が開発されており、ADSL(Asymmetric DSL)、SDSL(Symmetric DSL)、VDSL(Very high-bit-rate DSL)などがある。この場合、IPネットワークは、マルチキャスト(Multicast)を支援するイーサネット(Ethernet）であるだろう。イーサネットは、CSMA/CD(Carrier Sense Multiple Access with Collision Detection)方式であって、10Mbpsの帯域幅を有する10Base-X、100Mbpsの帯域幅を有する100Base-X(Fast Ethernet)、または 1Gbpsの帯域幅を有する1000Base-Xに分類できる。
【００３０】
通常、サービス業者からE1/T1専用ラインを賃借して使用する場合には約80万韓国ウォン（約、650米国ドル）のコストが掛かり、ADSLのような汎用ラインを使用する場合には3万ウォンないし10万ウォンのコストが掛かる。したがって、IPパケット伝送が可能なADSLを賃借し、E1/T1信号とIPパケットを変換できる整合装置を制御局と基地局に設置した場合、全費用を、一般的な費用の1/10程度に低減することができる。特に、数百万の移動端末機使用者を対象として移動通信サービスをする事業体では移動端末機の使用者数に比例してネットワーク維持費用が増加し得るが、E1/T1専用ラインとDSL等の汎用ラインを接続して通信ネットワークを構成する場合には維持費用を低減できる。
【００３１】
一方、IPパケットは、データサイズが可変であり、バースト(Burst)特性を有するために、IPネットワークを介して伝送されたIPパケットを一定のサイズを有するE1信号に変換する過程で、円滑な送受信のためにIP整合装置内のバッファによる伝送速度の管理が必要となる。
【００３２】
図4は、この発明の好ましい実施形態に係るIPパケットをE1/T1信号に変換するためのIP整合装置の構成図を示すものである。
図4を参照すると、この発明のIP整合装置200は、基地局に設置され、IPネットワークを介して伝送されたIPパケットをIPインターフェース210を介して受信する。すなわち、制御局に設置されたE1整合装置からIPネットワークを介して伝送されるIPパケットをIPインターフェース210で受信する。IPインターフェース210で受信されたIPパケットは、制御部220を通してバッファ230でバッファリングされる。伝送メッセージが複数のIPパケットから構成された場合に、IPパケットが到達した順序と伝送順序が異なり得るため、受信したIPパケットの順序を合せて伝送メッセージを再構成する必要がある。したがって、受信したIPパケットの順序を合せるために、伝送されるIPパケットの伝送速度を制御する必要がある。このために、この発明のIP整合装置200は、バッファの大きさ及び使用状態を表すバッファ状態情報をE1/T1整合装置に伝送することが好ましい。それによって、E1/T1整合装置は、IP整合装置200から伝送されたバッファ状態情報に応じて、IPパケットの伝送速度を制御する。
【００３３】
バッファ230でバッファリングされたIPパケットは、IPパケット変換部240でE1/T1信号に変換される。変換されたE1/T1信号は、E1/T1送信部250を通して基地局に伝送される。
一方、制御局20から基地局30に伝送されるE1/T1信号は、固定された大きさのATMセルから構成されているために、E1整合装置100は、E1/T1信号をIPパケットに変換するための別途のバッファは必要としない。しかし、基地局30から制御局20にデータを伝送する場合は、必要に応じてE1/T1信号の伝送速度を可変させるためにバッファを使用することもできる。
【００３４】
図5は、この発明の好ましい実施形態に係るE1/T1信号をIPパケットに変換するためのE1整合装置の構成図を示すものである。
図5を参照すると、この発明のE1整合装置100は、制御局から伝送されたE1/T1信号を、E1/T1受信部110を通して受信する。E1/T1変換部130は、E1/T1受信部110を通して受信したE1/T1信号を、制御部120の制御に従ってからIPパケットに変換する。変換されたIPパケットは、IPインターフェース140からIPネットワークを介してIP整合装置200に伝送される。この時、IP整合装置200のバッファ使用状態のバッファサイズに応じて、IPパケットの伝送速度を制御する必要がある。このために、E1整合装置は、IP整合装置200から伝送されるバッファ状態情報を基準にIPパケットの伝送速度を制御する。したがって、E1整合装置100は、E1/T1信号をIPパケットに変換する前に、E1/T1信号を格納するバッファをさらに含むことができる。
【００３５】
一方、前記では制御局20から基地局30にE1/T1信号を下だり伝送する場合に、E1/T1信号をIPパケットに変換するために制御局にE1整合装置を設置し、IPパケットをE1/T1信号に変換するために基地局にIP整合装置を設置する場合を例に挙げて説明した。しかし、基地局30から制御局20にE1/T1信号を伝送する場合には、基地局30でE1/T1信号をIPパケットに変換し、制御局20でIPパケットをE1/T1信号に変換すべきである。したがって、E1/T1信号をIPパケットに変換するE1整合装置が基地局30に設置され、IPパケットをE1/T1信号に変換するIP整合装置が制御局20に設置されなければならない。したがって、制御局20に設置される整合装置と基地局30に設置される整合装置は、E1/T1信号をIPパケットに変換し、IPパケットをE1/T1信号に変換する両方向変換機能及びバッファを備えるように構成することが好ましい。
【００３６】
一方、制御局20のE1整合装置100は、公認IPを使用するのに対し、基地局30のIP整合装置200は、私設IP(Private IP)または流動IP(Dynamic IP)を利用する。したがって、制御局20と基地局30の間の接続が確立した後、IPラインのIPアドレスが変化してはならない。確立したIPラインを維持するために、IPラインに対してダミー(Dummy)信号を周期的に伝送したり、仮想IP(Virtual IP)などの方法を使用したりすることができる。
【００３７】
また、整合装置は、障害発生を周期的に監視し、障害が発生した場合にこれを制御局20に報せるための現状監視部を含むことができる。
図6は、この発明の好ましい実施形態による、低費用ネットワークシステムを利用したデータ伝送方法のフローチャートを示すものである。
【００３８】
図6を参照すると、この発明のデータ伝送方法は、基地局に設置され、E1/T1信号をIPパケットに変換するためのE1整合装置と、制御局に設置され、IPパケットをE1/T1信号に変換するためのIP整合装置を利用する。E1整合装置は、制御局から伝送されたE1/T1信号を受信し(s10)、E1/T1信号をIPパケットに変換する(s14)。この時、IPパケットを受信するIP整合装置は、バッファ状態を判断し(s20)、バッファの現在使用状態及び最大バッファサイズを示すバッファ状態情報をE1整合装置に伝送する(s12)。E1整合装置は、バッファ状態情報によってIP整合装置のバッファ状態を判断し、バッファにオーバーフロー(Overflow)が発生しないように、IPパケットの大きさを調節する(s16)。E1/T1信号をIPパケットに変換した後には、E1整合装置は、IPネットワークを介してIPパケットをIP整合装置に伝送する(s18)。IP整合装置は、E1整合装置から伝送されたIPパケットを受信し、IPパケットをE1/T1信号に変換した後に(s22)、E1/T1信号を基地局装置に伝送する(s24)。
【００３９】
それに対し、基地局から制御局にE1/T1信号が伝送される場合には、基地局に設置された整合装置がE1整合装置として動作し、制御局に設置された整合装置がIP整合装置として動作する。
【産業上の利用可能性】
【００４０】
上述したように、この発明の低費用ネットワークシステムによると、制御局と基地局を接続するE1/T1専用ラインをIPラインに置き換えることによって、専用ラインを維持するために必要な費用を低減できる利点がある。
【００４１】
また、この発明の低費用ネットワークシステムは、E1/T1専用ラインとIPラインを整合できる整合装置を設置し、E1/T1信号とIPパケットを相互変換して伝送することによって、少ない費用でデータ伝送効率を向上させることができる。
【００４２】
前記では、この発明に係る低費用ネットワークシステム及びこれを利用したデータ伝送方法を好ましい実施形態を通して詳細に説明したが、この発明は、上記した特定の実施形態に限定されるものではない。また、前記技術分野において、通常の知識を有する者はこの発明の範囲内でこれを多様に変更したり修正したりすることができる。この発明の技術思想及びこの発明の範囲は、特許請求の範囲のみにより決定される。
【図面の簡単な説明】
【００４３】
【図１】一般的な移動通信システムの構成図である。
【図２】この発明の好ましい実施形態に係る低費用ネットワークシステムの構成図である。
【図３】この発明の好ましい実施形態に係るIPパケットの構造図である。
【図４】この発明の好ましい実施形態に係るIPパケットをE1/T1信号に変換するためのIP整合装置の構成図である。
【図５】この発明の好ましい実施形態に係るE1/T1信号をIPパケットに変換するためのE1整合装置の内部構成図である。
【図６】この発明の好ましい実施形態において、低費用ネットワークシステムを利用したデータ伝送方法のフローチャートである。
【符号の説明】
【００４４】
20:制御局
30:基地局
100:E1整合装置
200:IP整合装置
110:E1/T1受信部
120:制御部
130:E1/T1変換部
140:IPインターフェース
210:IPインターフェース
220:制御部
230:バッファ
240:IPパケット変換部
250:E1/T1送信部
【図１】
2005522159.tif 000003
【図２】
2005522159.tif 000004
【図３】
2005522159.tif 000005
【図４】
2005522159.tif 000006
【図５】
2005522159.tif 000007
【図６】
2005522159.tif 000008
【国際調査報告】
2005522159.tif 000009
2005522159.tif 000010